(57)【要約】【課題】多くの種類の携帯用電子機器に適用でき、携帯用電子機器またはバッテリの挿着が容易であり、挿着された携帯用電子機器が脱落しにくい携帯用電子機器の充電器を提供する。【解決手段】当接面３を有する収容空間２に携帯用電子機器のバッテリを前記当接面３と当接するように挿入することにより、バッテリの端子が前記当接面に設けられた充電端子６、６と接続され前記バッテリを充電する充電器において、前記収容空間２の前記当接面と直交する両側の側面と前記バッテリとに夫々挿入ガイド４ａを設け、前記収容空間２の開口部の前記当接面と対向する縁を回動中心軸７とする板状の回動アーム８をばねの弾力に抗して前記収容空間２内部方向に回動可能に設け、前記回動アーム７の自由端に回転可能に設けられた回転軸に中心方向が小径となる一対のテーパローラ１０、１０を固着した。【選択図】図２
2009136094.tif 000002
【特許請求の範囲】
【請求項１】
当接面を有する収容空間にバッテリが嵌着された携帯用電子機器またはバッテリ単体を前記当接面と当接するように挿入することにより、バッテリの端子が前記当接面に設けられた充電端子と接続され前記バッテリを充電する充電器において、前記収容空間の前記当接面と直交する両側の側面と前記バッテリとに夫々挿入ガイドをバッテリ挿入方向に延びるように設け、かつ、前記挿入ガイドの少なくとも一方に誘い込み部を設け、前記収容空間の開口部の前記当接面と対向する縁を回動中心軸とする板状の回動アームをばねの弾力に抗して前記収容空間内部方向に回動可能に設け、前記回動アームの自由端に回転可能に設けられた回転軸に中心方向が小径となる一対のテーパローラを固着し、前記回動アームは前記ばねの弾力によりストッパに圧接されているときは、前記収容空間の開口部を塞ぎ、前記バッテリが嵌着された携帯用電子機器またはバッテリ単体を前記収容空間に挿入するときは、前記テーパローラが前記バッテリが嵌着された携帯用電子機器またはバッテリ単体の稜線を押してバッテリを収容位置に案内すると共に前記当接面に圧接するように構成した携帯用電子機器の充電器。
【請求項２】
請求項１に記載した携帯用電子機器の充電器において、前記収容空間が複数個設けられており、各収容空間の前記当接面が等間隔平行となるように配置されている複数のバッテリを同時に充電することが可能な多連式の携帯用電子機器の充電器。
【請求項３】
前記各収容空間が底面に対して傾斜している請求項２の携帯用電子機器の充電器。
【請求項４】
前記各収容空間の両側の側面と平行となるガイド面を有する一対の回転式側面ガイドを前記各収容空間の両側に配置した請求項３の携帯用電子機器の充電器。
【発明の詳細な説明】
【技術分野】
【０００１】
この発明は携帯用電子機器に係わり、特に、その充電器に関する。
【背景技術】
【０００２】
従来の携帯用電子機器の充電器の例を図１４により説明する、図１４に示す充電器３０には収容空間３１が形成されており、収容空間３１の開口部から携帯用通信機１２を差し込むと、携帯用通信機１２に嵌着されている図示していないバッテリの挿入ガイドが収容空間３１の壁面に形成されている挿入ガイドと嵌合することによりバッテリが位置決めされ、バッテリが定位置まで挿入されると、バッテリの端子が収容空間３１に設けられた充電端子と接続されバッテリが充電されるようになっている。
【０００３】
この充電器３０では仕様に合ったバッテリ以外は前記挿入ガイド同士が嵌合せず、仕様外のバッテリの誤挿入が防止されるようになっている。
【０００４】
しかしながら、バッテリを充電器３０に挿入する際に挿入ガイドの位置を合わせながら挿入する必要があり、挿入に手間がかかっていた。また、高容量のバッテリを取付けた重い通信機を挿入する場合は、通信機が大きく、重いため、位置合わせがしにくく、挿入にさらに手間がかかっていた。
【０００５】
収容空間が多数配列され挿入しやすくするため、収容空間が傾けられている多連式の携帯用通信機の充電器では、バッテリを挿入するときに、接触不良を起こしたり、挿入時に、バッテリあるいはバッテリが嵌着された携帯用通信機を落としてしまう恐れがあった。
【０００６】
特開２００６−３４５６６７号公報に開示された携帯用電子機器の充電器ではバッテリを収容する凹部３ｆに、底板部の端から立板部が立ち上がるＬ形状の押さえ部材の底板部が凹部３ｆの底面と摺動するように配置さればねで付勢されている。そして、凹部３ｆに収容されるバッテリを立板部が凹部３ｆに設けられた充電端子に圧接する。立板部の上端には傾斜面が形成されており、傾斜面によりバッテリを凹部３ｆ内に案内する。
【０００７】
上記特開２００６−３４５６６７号公報に開示された携帯用電子機器の充電器は押さえ部材が凹部３ｆの底面と摺動するので摩擦抵抗があり、挿入がスムーズに行えないという問題があった。
【０００８】
また、挿入可能の携帯用電子機器の種類は厚みの差が立板部の厚みの範囲に限られるため、多くの種類の携帯用電子機器に適用できないという問題あった。
【特許文献１】特開２００６−３４５６６７号公報、段落００１２〜段落００１８、図１〜図４
【発明の開示】
【発明が解決しようとする課題】
【０００９】
この発明は上記した点に鑑みてなされたものであって、その目的とするところは、多くの種類の携帯用電子機器に適用でき、携帯用電子機器またはバッテリの挿着が容易であり、挿着された携帯用電子機器が脱落しにくい携帯用電子機器の充電器を提供することにある。
【課題を解決するための手段】
【００１０】
この発明の携帯用電子機器の充電器は、当接面を有する収容空間にバッテリが嵌着された携帯用電子機器またはバッテリ単体を前記当接面と当接するように挿入することにより、バッテリの端子が前記当接面に設けられた充電端子と接続され前記バッテリを充電する充電器において、前記収容空間の前記当接面と直交する両側の側面と前記バッテリとに夫々挿入ガイドをバッテリ挿入方向に延びるように設け、かつ、前記挿入ガイドの少なくとも一方に誘い込み部を設け、前記収容空間の開口部の前記当接面と対向する縁を回動中心軸とする板状の回動アームをばねの弾力に抗して前記収容空間内部方向に回動可能に設け、前記回動アームの自由端に回転可能に設けられた回転軸に中心方向が小径となる一対のテーパローラを固着し、前記回動アームは前記ばねの弾力によりストッパに圧接されているときは、前記収容空間の開口部を塞ぎ、前記バッテリが嵌着された携帯用電子機器またはバッテリ単体を前記収容空間に挿入するときは、前記テーパローラが前記バッテリが嵌着された携帯用電子機器またはバッテリ単体の稜線を押してバッテリを収容位置に案内すると共に前記当接面に圧接するように構成したものである。
【００１１】
また、前記携帯用電子機器の充電器において、前記収容空間が複数個設けられており、各収容空間の前記当接面が等間隔平行となるように配置されている複数のバッテリを同時に充電することが可能な多連式としたものである。
【００１２】
また、前記携帯用電子機器の充電器において、前記各収容空間が底面に対して傾斜しているものである。
【００１３】
また、前記携帯用電子機器の充電器において、前記各収容空間の両側の側面と平行となるガイド面を有する一対の回転式側面ガイドを前記各収容空間の両側に配置したものである。
【発明の効果】
【００１４】
この発明の携帯用電子機器の充電器によれば、多くの種類の携帯用電子機器に適用でき、携帯用電子機器またはバッテリの挿着が容易であり、挿着された携帯用電子機器が脱落しにくい。
【発明を実施するための最良の形態】
【００１５】
以下この発明を実施するための最良の形態を実施例に即して説明する。
【実施例１】
【００１６】
図１はこの発明の実施例１である携帯用通信機の充電器の使用状態を示す斜視図、図２（ａ）は同充電器を示す平面図、図２（ｂ）は同充電器の作用を説明するための概略断面図、図３は同充電器の使用状態を示す概略断面図である。なお、図３では一部部材を省略して示している。
【００１７】
図１〜図３に示す充電器１はバッテリが嵌着された携帯用通信機１２を収容する収容空間２を有する。収容空間２の壁面にはバッテリ１３が当接する当接面３が形成されている。当接面３にはバッテリ１３の端子１３ａ、１３ａと圧接される板ばねの充電端子６、６が設けられている。
【００１８】
収容空間２の当接面３と直交するように連なる両側の側面４、４には凸部４ａ、４ａが設けられれ凸部４ａ、４ａの上端にはテーパ形状の誘い込み部４ｂ、４ｂが形成されている。収容空間２の開口部の当接面３と対向する縁に回動中心軸７が回動自在に支持されており、回動中心軸７と一体の板状の回動アーム８の先端には回転軸９が回転自在に支持されている。
【００１９】
回転軸９には中心方向が小径となる一対のテーパローラ１０、１０が固着されている。テーパローラ１０は樹脂製またはゴム製であり、２色成形または接着等により回転軸９と一体となっている。
【００２０】
回動アーム８は図示していない捩じりコイルばねにより、図２（ｂ）における反時計方向に付勢されており、自然状態で図示していないストッパに当接して、当接面３の開口部を塞ぐ位置にある。図２（ｂ）に示す回動アーム８は２位置に示されており、矢印で示すように回動可能となっている。
【００２１】
図３に示す携帯用通信機１２にはバッテリ１３が嵌着されており、バッテリ１３の背面には端子１３ａ、１３ａが設けられ、バッテリ１３側面には挿入ガイドとなる凹部１３ｂ、１３ｂが設けられており、凹部１３ｂ、１３ｂの下端には誘い込み部１３ｃとなる広がりが形成されている。
【００２２】
上記構成の携帯用通信機の充電器の使用方法を図４〜図６により説明する。図３に示す状態から携帯用通信機１２を下方に降ろすと、図４に示すように携帯用通信機１２の下面がテーパローラ１０を押して回動アーム８がばねの弾力に抗して下方に回動する。
【００２３】
携帯用通信機１２を収容空間２内部にさらに押し込むと、図５に示すように、テーパローラ１０、１０は携帯通信機１２の上下方向に延びる稜線を押すようになる。そして、テーパローラ１０、１０は携帯通信機１２に嵌着されているバッテリ１３を当接面３に面接触するように圧接すると共に中央方向に導く。従ってバッテリ１３の凹部１３ｂを誘い込み部１３ｃおよび４ｂを介して側面４、４の凸部４ａ、４ａに容易に嵌合させることができる。
【００２４】
携帯用通信機１２を収容空間２内部にさらに押し込んで、図６に示すように、バッテリ１３の底面を収容空間２の底面５に面接触させて、バッテリ１３の端子１３ａ、１３ａが充電端子６と接触する充電状態するすることがでる。
【００２５】
回動アーム８を付勢するばねの弾力を適度の大きさとすることにより、携帯通信機１２をテーパローラ１０、１０と当接面３の間に差し込むことが可能であり、しかも、携帯通信機１２を当接面３に脱落が防止できる程度の強さに圧接することができる。そして、テーパローラ１０、１０と携帯通信機１２との間の摩擦は転がり摩擦であるため摩擦抵抗が小さく、容易に携帯通信機１２を挿脱できる。また、充電器１を使用しないときは、回動アーム８が収容空間２を塞いでいるので収容空間２内にごみが入らない。
【００２６】
図７に薄型の携帯通信機１４に端子１５ａ、凹部１５ｂ、誘い込み部１５ｃを有するバッテリ１５を嵌着した状態で充電器１に充電状態に挿着した状態を示している。このときは、回動アーム８が当接面３側に回動しているが、十分なバッテリ１５と当接面３との接触圧が得られる。
【００２７】
図８は圧型のバッテリ１５Ａを単体の状態で充電器１に充電状態に挿着した状態を示している。また、図９は薄型のバッテリ１５Ｂを単体の状態で充電器１に充電状態に挿着した状態を示している。このように、回動アーム８の回動角度が変わるだけで、多くの機種の携帯通信機やバッテリ単体を充電器１により充電できる。
【実施例２】
【００２８】
図１０は、この発明の実施例２である携帯用通信機用の多連式の充電器１７の使用状態を示す斜視図である。この充電器１７は底面１７ａと上面１７ｂは平行であり、収容空間２、２…が一列等間隔に複数個配置されている。各収容空間２、２…には実施例１と同様の部材が設けられている。この充電器１７は卓上式であるが、このように多連式の充電器では携帯用通信機やバッテリの挿脱が容易であり、脱落が防止されるという前記した実施例１の効果が一層に有効となる。
【実施例３】
【００２９】
図１１は、この発明の実施例３である携帯用通信機用の多連式の充電器１８の使用状態を示す斜視図である。この充電器１８は底面１８ａと上面１８ｂは非平行であり、収容空間２、２…が一列等間隔に複数個配置されている。各収容空間２、２…には実施例１と同様の部材が設けられている。この充電器１８は卓上式であるが、上面１８ｂが前側に傾斜しているために、設置場所によっては携帯用通信機やバッテリの挿脱が実施例２のものより容易となる。
【実施例４】
【００３０】
図１２はこの発明の実施例４である携帯用通信機の充電器１９の使用状態を示す斜視図、図１３は同充電器の部材を示す斜視図である。この充電器１９は底面１９ａと上面１９ｂは非平行であり、（なお、図１３では底面１９ａと上面１９ｂを平行に描いている）収容空間２、２…が一列等間隔に複数個配置されている。各収容空間２、２…には実施例１と同様の部材が設けられているが図示を省略している。
【００３１】
図１３に示すように、軸受１９ｃ、１９ｃに回転式側面ガイド２０が回動自在に支持されている。左右の回転式側面ガイド２０、２０は鏡対称形である。なお、右側の回転式側面ガイド２０は図示を省略している。
【００３２】
回転式側面ガイド２０にはガイド面２０ａ、軸２０ｄおよび扇形側面部２０ｂが形成されており扇形側面部２０ｂの中心角は１８０°より大きく凸部２０ｃが形成されている。軸２０ｄの回りに配置されたコイルばね２１は回転式側面ガイド２０を図１３における右上方向に付勢し、扇形側面部２０ｂを段差１９ｅの両側の上下の面に圧接する。
【００３３】
図１２に示すように、いずれかのガイド面２０ａが立つようにして回転式側面ガイド２０が用いられる。図１２では図における前側のガイド面２０ａが立つており、後側のガイド面２０ａが倒れている。
【００３４】
そして、上側の回転式側面ガイド２０の凸部２０ｃが突出している。この凸部２０ｃを押し込むと、回転式側面ガイド２０が回転してガイド面２０ａが上側に突出する。そして、回転式側面ガイド２０をさらに回転させて、扇形側面部２０ｂの縁が段差１９ｅの位置に来ると、コイルばね２１で付勢されている回転式側面ガイド２０が図１３における右方向に移動して凸部２０ｃが段差１９ｅの下側に落ち込みガイド面２０ａが立った状態でロックされる。ロックを解除するときは、回転式側面ガイド２０を図１３における左下方向に引っ張る。
【００３５】
この充電器１９は図１２に示す姿勢で卓上式として用いることができ、さらに、底面１９ａが壁と当接するようにして壁に掛けた状態でも用いることができる。このときは、高い方の側面を下として、下側の回転式側面ガイド２０のガイド面２０ａを立てた状態とする。このように、卓上式としても壁掛け式としても携帯用通信機１２が挿脱しやすくなり、しかも、ガイド面２０ａにより携帯用通信機１２の脱落が防止される。
【図面の簡単な説明】
【００３６】
【図１】この発明の実施例１である携帯用通信機の充電器の使用状態を示す斜視図である。
【図２】図２（ａ）は同充電器を示す平面図、図２（ｂ）は同充電器の作用を説明するための概略断面図である。
【図３】同充電器の使用状態を示す概略断面図である。
【図４】同使用状態を段階的に示す概略断面図である。
【図５】同使用状態を段階的に示す概略断面図である。
【図６】同使用状態を段階的に示す概略断面図である。
【図７】同充電器の他の使用状態を示す概略断面図である。
【図８】同充電器のさらに他の使用状態を示す概略断面図である。
【図９】同充電器のさらに他の使用状態を示す概略断面図である。
【図１０】この発明の実施例２である携帯用通信機の充電器の使用状態を示す斜視図である。
【図１１】この発明の実施例３である携帯用通信機の充電器の使用状態を示す斜視図である。
【図１２】この発明の実施例４である携帯用通信機の充電器の使用状態を示す斜視図である。
【図１３】同充電器の部材を示す斜視図である。
【図１４】携帯用通信機の充電器の従来の例を示す斜視図である。
【符号の説明】
【００３７】
１  充電器
２  収容空間
３  当接面
４  側面、４ａ  凸部、４ｂ  誘い込み部
５  底面
６  充電端子
７  回動中心軸
８  回動アーム
９  回転軸
１０  テーパローラ
１２  携帯用通信機
１３バッテリ、１３ａ  端子、１３ｂ  凹部、１３ｃ  誘い込み部
１４  携帯用通信機
１５  バッテリ、１５ａ  端子、１５ｂ  凹部、１５ｃ  誘い込み部
１５Ａ、１５Ｂ  バッテリ
１７  充電器、１７ａ  底面、１７ｂ  上面
１８  充電器、１８ａ  底面、１８ｂ  上面
１９  充電器、１９ａ  底面、１９ｂ  上面、１９ｃ  軸受、１９ｅ段差、２０  回転式側面ガイド、、２０ａ  ガイド面、２０ｂ  扇形側面部、２０ｃ  凸部、２０ｄ  軸、２１  コイルばね
【図１】
2009136094.tif 000003
【図２】
2009136094.tif 000004
【図３】
2009136094.tif 000005
【図４】
2009136094.tif 000006
【図５】
2009136094.tif 000007
【図６】
2009136094.tif 000008
【図７】
2009136094.tif 000009
【図８】
2009136094.tif 000010
【図９】
2009136094.tif 000011
【図１０】
2009136094.tif 000012
【図１１】
2009136094.tif 000013
【図１２】
2009136094.tif 000014
【図１３】
2009136094.tif 000015
【図１４】
2009136094.tif 000016